(57)【要約】  本発明は、電子機器の筐体に好適な遮蔽性を備え、且つ低温のイオン交換温度でイオン交換処理して高強度化させた化学強化ガラスの製造方法を提供することを目的とする。本発明は、分相したガラスをイオン交換処理する工程を含む化学強化ガラスの製造方法に関する。
2013161791.tif 000002
【特許請求の範囲】
【請求項１】
分相したガラスをイオン交換処理する工程を含む化学強化ガラスの製造方法。
【請求項２】
分相したガラスがバイノーダル状態のガラスである請求項１に記載の化学強化ガラスの製造方法。
【請求項３】
請求項１または２に記載の化学強化ガラスの製造方法により得られる化学強化ガラス。
【請求項４】
イオン交換処理された分相ガラス。
【請求項５】
表面に圧縮応力層を有する分相ガラス。
【請求項６】
表面圧縮応力が３００ＭＰａ以上であり、かつ、引張応力が５０ＭＰａ以下である請求項５に記載の分相ガラス。
【請求項７】
３点曲げ強度試験において、ビッカース圧子挿入加重０ｋｇにおける３点曲げ強度からビッカース圧子挿入加重２ｋｇにおける３点曲げ強度を減じた値を、ビッカース圧子挿入加重０ｋｇにおける３点曲げ強度で除した値が７０％以下である分相ガラス。
【請求項８】
ビッカース圧子を１９．６Ｎで挿入した時に割れない分相ガラス。
【請求項９】
分相ガラスを花崗岩からなる基台上に配置し、Ｐ３０（ＪＩＳ  Ｒ６２５２：２００６）のサンドペーパーの擦り面に該分相ガラスの上面を接触させた状態で、２９ｇのステンレス鋼からなる直径１９．１ｍｍの球体を上方から落下させるサンドペーパー落球試験において、破壊時の平均落球高さが８ｃｍ以上である分相ガラス。
【請求項１０】
波長４００ｎｍでの１ｍｍ厚換算の直線透過率が３０％以下かつ同波長での１ｍｍ厚換算の全光反射率が１０％以上である請求項４〜９のいずれか１項に記載の分相ガラス。
【請求項１１】
請求項４〜１０のいずれか１項に記載の分相ガラスであって、一方の分離相が独立した球状の形で他方の分離相のマトリクス中に分散した形態をとっているバイノーダル状態の分相ガラス。
【請求項１２】
独立した球状の形で分散している分離相の平均直径が４０〜３０００ｎｍである請求項１１に記載の分相ガラス。
【請求項１３】
請求項３に記載の化学強化ガラスまたは請求項４〜１２のいずれか１項に記載の分相ガラスを有する電子機器筺体。
【請求項１４】
前記分相ガラスが波長４００ｎｍでの直線透過率が３０％以下かつ全光反射率が１０％以上であるものである請求項１３に記載の電子機器筺体。
【発明の詳細な説明】
【技術分野】
【０００１】
本発明は、電子機器、例えば携帯して使用可能な通信機器または情報機器等の外装部材として好適に用いられる化学強化ガラスの製造方法に関する。
【背景技術】
【０００２】
携帯電話等の電子機器の筐体は、装飾性、耐傷性、加工性またはコスト等の様々な要因を考慮し、樹脂または金属等の素材から適宜のものが選択されて用いられている。近年、従来用いられていなかったガラスを筐体の素材として用いる試みがされている（特許文献１）。特許文献１によれば、携帯電話等の電子機器において、筐体本体をガラスで形成することにより、透明感のある独特の装飾効果を発揮することができるとされている。【０００３】
電子機器は、機器の外表面に液晶パネル等の表示装置を備えている。これら表示装置は、高精細および高輝度化の傾向にあり、それに伴い光源となるバックライトも高輝度化の傾向にある。光源からの光は、表示装置側に照射される以外に、機器内部で多重反射し外装されている筐体の裏面に到達することがある。【０００４】
また、光源を不要とする有機ＥＬ（Ｅｌｅｃｔｒｏ−Ｌｕｍｉｎｅｓｃｅｎｃｅ）ディスプレイであっても、同様に発光素子からの光の漏れが懸念される。筐体の素材として金属を用いる場合は問題にならないが、前述のような透明性を有するガラスを用いる場合、光源からの光が筐体を透過し、機器外部から認識されるおそれがある。そのため、ガラスを筐体に用いる際には、ガラスに可視光線に対する遮蔽性（以下、遮蔽性という）を持たせるための塗膜等の遮光手段をガラスの裏面に形成することが行われる。【０００５】
前述のとおり表示装置の光源の高輝度化に伴い、ガラスの裏面（機器側）に十分な遮蔽性を有する塗膜を形成するには、塗膜を厚膜に形成したり、複数の層からなる膜を形成したりする必要があり、工程数が多くコストが高くなる要因となる。【０００６】
また、塗膜が均一に形成されない場合、塗膜が薄い箇所のみ光が透過し、局部的に筐体が明るく認識される等の機器の美観を損ねるおそれがある。例えば、凹状の筐体においては、凹面側全面に均一な膜を形成する必要がある。しかしながら、十分な遮蔽性を備える塗膜を凹面に均一に形成する工程は複雑であり、コストが高くなる要因となる。【０００７】
特に、外観が白色を呈する筐体を得る場合、前述のとおり透明ガラスの少なくとも一方の面に白色塗膜層を形成する方法がある。しかしながら、白色塗料は、透光性が高く、白色塗膜層を厚くしても十分な遮蔽性を得ることができない。【０００８】
そのため、白色塗膜層に遮蔽性の高い黒色塗膜層を積層することが行われるが、この場合、黒色塗膜層が認識されない程度に白色塗膜層を厚くする必要がある。このように、白色塗料を用いて白色を呈する遮蔽性の高い筐体を得るのは、非常にコストが高いという問題がある。【０００９】
また、携帯電話等に使用可能な電子機器は、使用時の落下衝撃による破損または長期間の使用による接触傷を考慮し、筐体に対し高い強度が求められる。このため、従来より、ガラスまたはガラス基板の耐傷性を向上させるため、ガラスを、化学強化することで表面に圧縮応力層を形成しその耐傷性を高めている。
【先行技術文献】
【特許文献】
【００１０】
【特許文献１】日本国特開２００９−６１７３０号公報
【発明の概要】
【発明が解決しようとする課題】
【００１１】
遮蔽性を得る方法としては結晶化ガラスを用いることが考えられるが、結晶化ガラスをイオン交換処理する場合、イオン交換温度は通常高温にする必要があり溶融塩の蒸発等の問題が生じるおそれがある。【００１２】
したがって、本発明は、電子機器の筐体に好適な遮蔽性を備え、且つ低温のイオン交換温度でイオン交換処理して高強度化させた化学強化ガラスの製造方法を提供することを目的とする。
【課題を解決するための手段】
【００１３】
１．分相したガラスをイオン交換処理する工程を含む化学強化ガラスの製造方法。
２．ガラスを分相させる工程、および分相したガラスをイオン交換処理する工程を順次含む化学強化ガラスの製造方法。
３．分相したガラスがＮａ２ＯもしくはＬｉ２Ｏまたは両方を含有する前項１または２に記載の化学強化ガラスの製造方法。
４．分相したガラスがＳｉＯ２、Ａｌ２Ｏ３およびＭｇＯを含有する前項１〜３のいずれか１に記載の化学強化ガラスの製造方法。
５．分相したガラスがＴｉＯ２、ＺｒＯ２、Ｐ２Ｏ５およびＬａ２Ｏ３から選ばれる少なくとも１を含有する前項３または４に記載の化学強化ガラスの製造方法。
６．分相したガラスがＫ２Ｏを含有する前項１〜５のいずれか１に記載の化学強化ガラスの製造方法。
７．分相したガラスがアルカリリッチのマトリックス中に、シリカリッチの分散相を含むバイノーダル状態のガラスである前項１〜６のいずれか１に記載の化学強化ガラスの製造方法。
８．ガラスが下記酸化物基準のモル百分率表示でＳｉＯ２を５０〜８０％、ＭｇＯを５〜３０％、Ｎａ２Ｏを１〜１７％、Ｐ２Ｏ５を０〜１０％、Ａｌ２Ｏ３を０〜１０％、Ｂ２Ｏ３を０〜６％、Ｋ２Ｏを０〜９％含有するものである前項１〜７のいずれか１に記載の化学強化ガラスの製造方法。【００１４】
ここで、たとえばＰ２Ｏ５を０〜１０％含有するとは、Ｐ２Ｏ５は必須ではないが１０％以下の範囲で含有してもよい、の意であり、ＳｉＯ２は典型的には６０〜８０％であり、また、前記ガラスは本発明の目的を損なわない限りこれら７成分（ＳｉＯ２、ＭｇＯ、Ｎａ２Ｏ、Ｐ２Ｏ５、Ａｌ２Ｏ３、Ｂ２Ｏ３、Ｋ２Ｏ）以外の成分を含有してもよいがその場合当該成分の含有量の合計は１０％以下であることが好ましく、典型的には５％以下である。【００１５】
また、本明細書においてはガラス成分の含有量はモル百分率で表示する。
９．前項１〜８のいずれか１に記載の化学強化ガラスの製造方法により得られる化学強化ガラス。
１０．イオン交換処理された分相ガラス。
１１．表面に圧縮応力層を有する分相ガラス。
この分相ガラスとしては前項１０に記載の分相ガラスが典型的である。
１２．３点曲げ強度試験において、ビッカース圧子挿入加重０ｋｇにおける３点曲げ強度からビッカース圧子挿入加重２ｋｇにおける３点曲げ強度を減じた値を、ビッカース圧子挿入加重０ｋｇにおける３点曲げ強度で除した値が７０％以下である分相ガラス。
この分相ガラスとしては前項１０または１１に記載の分相ガラスが典型的である。
１３．ビッカース圧子を２ｋｇｆすなわち１９．６Ｎで挿入した時に割れない分相ガラス。
この分相ガラスとしては前項１０、１１または１２に記載の分相ガラスが典型的である。
１４．分相ガラスを花崗岩からなる基台上に配置し、Ｐ３０（ＪＩＳ  Ｒ６２５２：２００６）のサンドペーパーの擦り面に該分相ガラスの上面を接触させた状態で、Φすなわち直径が０．７５インチすなわち１９．１ｍｍ、２９ｇのステンレス鋼からなる球体を上方から落下させるサンドペーパー落球試験において、破壊時の平均落球高さが８ｃｍ以上である分相ガラス。
この分相ガラスとしては前項１０〜１３のいずれか１に記載の分相ガラスが典型的である。
１５．表面圧縮応力が３００ＭＰａ以上であり、かつ、引張応力が５０ＭＰａ以下である前項１１に記載の分相ガラス。
１６．波長４００ｎｍでの１ｍｍ厚換算の直線透過率が３０％以下かつ同波長での１ｍｍ厚換算の全光反射率が１０％以上である前項１０〜１５のいずれか１に記載の分相ガラス。
１７．前項１０〜１６のいずれか１に記載の分相ガラスであって、一方の分離相が独立した球状の形で他方の分離相のマトリクス中に分散した形態をとっているバイノーダル状態の分相ガラス。
１８．独立した球状の形で分散している分離相の平均直径が４０〜３０００ｎｍである前項１７に記載の分相ガラス。
１９．前項９に記載の化学強化ガラスまたは前項１０〜１８のいずれか１に記載の分相ガラスを有する電子機器筺体。
２０．前記分相ガラスが波長４００ｎｍでの直線透過率が３０％以下かつ全光反射率が１０％以上であるものである前項１９に記載の電子機器筺体。
【発明の効果】
【００１６】
本発明の化学強化ガラスの製造方法によれば、ガラスに遮光膜等の遮光手段を別途設けることなく、電子機器の筐体に好適な遮蔽性を備え、且つ高強度化させた化学強化ガラスを安価に得ることができる。【００１７】
透明ガラスを用いて外観が白色を呈する筐体を得ようとすると先に述べたように白色塗膜層を何層も積層する必要があるが、本発明によればガラスそのものが乳白色を呈するので白色塗膜層を積層する必要がなくなる、または白色塗膜層を積層する場合であってもその層の数を透明ガラスのときに比べて大幅に減らせるという効果が得られる。【００１８】
また、本発明の製造方法により得られる化学強化ガラスおよび本発明の分相ガラスによれば、イオン交換処理して化学強化された結晶化ガラスと比べて傷に対する耐性が優れるという効果を得ることができる。【００１９】
本発明の製造方法によれば、ガラスを分相させることでガラスに白みを持たせ、低温でのイオン交換処理でガラスを化学強化することにより、結晶化ガラスと比較して短時間で深い圧縮応力層が入り、傷に対する耐性を高めた、白色化した化学強化ガラスを製造することができる。
【図面の簡単な説明】
【００２０】
【図１】図１（ａ）および（ｂ）は、分相したガラスをＳＥＭにより確認した結果（倍率１０００００倍）を示す図である。
【図２】図２は、分相したガラスの透過率を測定した結果を示す図である。
【図３】図３は、化学強化処理後のサンプル断面ＳＥＭ−ＥＤＸ点解析の結果を示す図である。
【図４】図４は、３点曲げ強度試験の結果を示す図である。
【図５】図５（ａ）〜（ｃ）は、分相したガラスの透過率を測定した結果を示す図である。
【図６】非スロークラック割れが発生したカバーガラスの破壊起点を側方から見た写真を示す図である。
【図７】図６の破断面を模式的に示す図である。
【図８】スパイダー割れが発生したカバーガラスの写真を示す図である。
【図９】スロークラック割れの再現方法の模式図である。
【図１０】図９のスロークラック割れの再現方法における化学強化ガラスの割れが発生するメカニズムを模式的に示す図である。図１０（ａ）は破壊起点を示す図であり、図１０（ｂ）はクラックを示す図である。
【図１１】図１１（ａ）はＰ３０のサンドペーパーの拡大写真を示す図であり、図１１（ｂ）はアスファルト・コンクリートの拡大写真を示す図であり、図１１（ｃ）はＰ３０のサンドペーパー先端の角度分布と砂の先端の角度分布を示すグラフである。
【図１２】図１２は、それぞれイオン交換した結晶化ガラス、分相ガラス（バイノーダル）、参考ガラス、および分相ガラス（スピノーダル）に圧子を挿入した後の写真を示す。
【図１３】図１３は、それぞれイオン交換処理した結晶化ガラス、分相ガラスおよび、参考ガラスの表面圧縮応力値（ＣＳ）および圧縮応力層深さ（ＤＯＬ）を測定した結果、並びに３点曲げ強度試験で破壊されたガラスの写真および模式図を示す。なお、結晶化ガラスのＤＯＬはＳＥＭ−ＥＤＸによるＫイオンプロファイルより求めた。
【図１４】図１４（ａ）〜（ｃ）は、ビッカース圧子を挿入し、加傷３点曲げ強度試験を行った結果を示す図である。図１４（ａ）はイオン交換処理した結晶化ガラス、図１４（ｂ）はイオン交換処理した分相ガラス、図１４（ｃ）はイオン交換処理した参考ガラスの結果を示す。
【図１５】図１５（ａ）および図１５（ｂ）は、ビッカース圧子を挿入し、加傷３点曲げ強度試験を行った結果を示す図である。図１５（ａ）はイオン交換処理した分相ガラス、図１５（ｂ）はイオン交換処理無しの分相ガラスの結果を示す。
【図１６】図１６（ａ）はサンドペーパー落球試験の試験方法を示す図である。図１６（ｂ）はサンドペーパー落球試験の結果を示す図である。図１６（ｃ）はイオン交換処理した結晶化ガラス、イオン交換処理した分相ガラス、イオン交換処理した参考ガラスについて、サンドペーパー落球試験後の写真および模式図を示す。
【図１７】図１７（ａ）はエッジ衝撃試験の試験方法を示す図である。図１７（ｂ）は、エッジ衝撃試験の試験結果を示す図である。
【図１８】図１８は、各々イオン交換処理無しまたはイオン交換処理有りの結晶化ガラス、分相ガラスおよび参考ガラスについて、エッジ衝撃試験後の写真および模式図を示す。
【発明を実施するための形態】
【００２１】
以下、本発明の化学強化ガラスの製造方法の好適な実施形態について説明する。
【００２２】
本発明は、分相したガラスをイオン交換処理する工程を含む化学強化ガラスの製造方法である。ガラスの製造方法は特に限定されないが、例えば種々の原料を適量調合し、約１５００〜１８００℃に加熱し溶融した後、脱泡、撹拌などにより均質化し、周知の、フロート法、ダウンドロー法、プレス法またはロールアウト法などによって板状等に、またはキャストしてブロック状に成形し、徐冷後、任意の形状に加工した後、分相させる処理をし、所望の形状に加工してから、イオン交換処理を施す。
【００２３】
本発明に使用する原料は、酸化物、複合酸化物、炭酸塩、水酸化物等、およびこれらの水和物等が適宜使用できる。酸化物としては、例えば、硅砂（二酸化ケイ素）、酸化マグネシウム、酸化アルミニウム、酸化ランタン（Ｌａ２Ｏ３）、ジルコニア（ＺｒＯ２）、酸化チタン（ＴｉＯ２）および酸化ホウ素（Ｂ２Ｏ３）等が挙げられる。
【００２４】
複合酸化物としては、例えば、ドロマイト［ＣａＭｇ（ＣＯ３）２］、ジルコン（ＺｒＳｉＯ４）、硼砂［Ｎａ２Ｂ４Ｏ５（ＯＨ）４・８Ｈ２Ｏ］、メタリン酸ナトリウム（ＮａＰＯ３）等が挙げられる。
【００２５】
炭酸塩としては、例えば、炭酸ナトリウム、ソーダ灰および炭酸カリウム等が挙げられる。水酸化物としては、例えば、水酸化マグネシウムおよび水酸化アルミニウム等が挙げられる。水和物としては、例えば、ホウ酸（Ｈ３ＢＯ３）およびリン酸（Ｈ３ＰＯ４）等が挙げられる。
【００２６】
これらの原料としては、例えば、天然原料、精製原料および粒度調整原料等が挙げられる。また、ガラスの酸化・還元状態（レドックス）を調整する材料としては、例えば、コークス若しくはショ糖などの有機または無機のカーボンを含有する材料、塩化アンモニウムなどの水素を含有する原料、およびＳｎＯ２などの溶解時に酸素を発生させる原料などが挙げられる。
【００２７】
各原料の粒度についても適切な粒度を持った各原料を適宜使用できる。これら溶解時の発生ガス、ガラス中の水分量、酸化還元状態、原料粒度による各原料の溶解速度の調整により、残留泡、異物、凝集物、素地均質性等の品質向上、色味の微調整等に適宜利用することができる。
【００２８】
なお、本発明においては、ガラスを溶融、均質化、成形、徐冷または形状加工等の工程において特段の分相させる処理を行うことなく、溶融、均質、成形、徐冷または形状加工のための熱処理によりガラスが分相したものも分相したガラスに含むものとし、この場合ガラスを分相させる工程は当該溶融等の工程に含まれるものとする。また、ガラスを成形する成形工程の前にガラスを分相させる分相工程をもたせたものも含むものとする。
【００２９】
（１）ガラスの分相
ガラスの分相とは、単一相のガラスが、二つ以上のガラス相に分かれることをいう。ガラスを分相させる方法としては、例えば、ガラスを熱処理する方法が挙げられる。
【００３０】
ガラスを分相するために熱処理する条件としては、典型的には、ガラス転移点より５０〜４００℃高い温度が好ましい。１００℃〜３００℃高い温度がより好ましい。ガラスを熱処理する時間は、１〜６４時間が好ましく、２〜３２時間がより好ましい。量産性の観点からは２４時間以下が好ましく、１２時間以内がさらに好ましい。ガラスを成形する成形工程の前に、ガラスを分相させる分相工程においては、分相開始温度以下、且つ１２００℃超の温度でガラスを保持することが好ましい。
【００３１】
ガラスが分相しているか否かは、ＳＥＭ（ｓｃａｎｎｉｎｇ  ｅｌｅｃｔｒｏｎ  ｍｉｃｒｏｓｃｏｐｅ、走査型電子顕微鏡）により判断することができる。ガラスが分相している場合、ＳＥＭで観察すると、２つ以上の相に分かれていることが観察できる。
【００３２】
（ガラス組成態様１）
以下のガラス組成は、おもにバイノーダルを例示するために作製したガラス組成（ガラス組成態様１）であるが、バイノーダルを示す組成はこれに限らないことはいうまでもない。また、ガラス組成態様１の組成範囲内においても、組成や熱処理温度等によっては、スピノーダルとなりえることはいうまでもない。本発明は、バイノーダルおよびスピノーダルの両分相形態を含む。
【００３３】
分相したガラスは、Ｎａ２ＯもしくはＬｉ２Ｏまたは両方を含有していることが好ましい。分相したガラスがＮａ２ＯもしくはＬｉ２Ｏまたは両方を含有していることにより、その後のイオン交換処理によるガラスの強度を高めることができる。ガラスにおけるＮａ２Ｏの含有量は、１％以上が好ましい。１％以上とすることにより、イオン交換処理により所望の表面圧縮応力層を形成しやすくなる。好ましくは３％以上、より好ましくは４％以上である。Ｎａ２Ｏが１７％超では耐候性が低下する。好ましくは１４％以下、より好ましくは１１％以下である。
【００３４】
ガラスにおけるＬｉ２Ｏの含有量は、１％以上が好ましい。１％以上とすることにより、イオン交換処理により所望の表面圧縮応力層を形成しやすくなる。好ましくは２％以上、より好ましくは４％以上である。Ｌｉ２Ｏが１７％超では耐候性が低下する。好ましくは１４％以下、より好ましくは１３％以下である。
【００３５】
ガラスにおいてＮａ２ＯとＬｉ２Ｏの両方を含有する場合、Ｎａ２Ｏ＋Ｌｉ２Ｏ含有量は、２％以上が好ましい。２％以上とすることにより、イオン交換処理により所望の表面圧縮応力層を形成しやすくなる。好ましくは３％以上、より好ましくは４％以上である。Ｎａ２Ｏ＋Ｌｉ２Ｏが１７％超では耐候性が低下する。好ましくは１４％以下、より好ましくは１３％以下である。
【００３６】
分相したガラスは、ＳｉＯ２、Ａｌ２Ｏ３およびＭｇＯを含有することが好ましい。分相したガラスが、ＳｉＯ２、Ａｌ２Ｏ３およびＭｇＯを含有することにより、イオン交換処理しやすくなる、および耐久性、強度が向上する。分相したガラスにおけるＳｉＯ２の含有量は、５０〜８０％であることが好ましく、５５〜７５％であることがより好ましく、６０〜７０％であることがさらに好ましい。
【００３７】
分相したガラスにおけるＡｌ２Ｏ３の含有量は、０〜１０％であることが好ましく、１〜７％であることがより好ましく、２〜６％であることがさらに好ましい。なお、例えばＡｌ２Ｏ３の含有量は０〜１０％が好ましいとは、Ａｌ２Ｏ３は含有しても含有しなくてもよいが、含有する場合その含有量は１０％以下が好ましい、の意である。
【００３８】
分相したガラスにおけるＭｇＯの含有量は、５〜３０％であることが好ましく、１０〜２５％であることがより好ましく、１２〜２０％であることがさらに好ましい。分相したガラスにおけるＢ２Ｏ５の含有量は０〜６％が好ましく、より好ましくは０．５〜５％、さらに好ましくは１〜４％である。
【００３９】
分相したガラスは、ＺｒＯ２、Ｐ２Ｏ５およびＬａ２Ｏ３から選ばれる少なくとも１を含むことが好ましい。分相したガラスが、ＺｒＯ２、Ｐ２Ｏ５およびＬａ２Ｏ３から選ばれる少なくとも１を含むことにより、ガラスの白みを増すことができる。その合量は０．５〜１０％であることが好ましい。
【００４０】
分相したガラスにおけるＺｒＯ２の含有量は、０〜５％であることが好ましく、０．５〜３％であることがより好ましい。分相したガラスにおけるＰ２Ｏ５の含有量は、０〜１０％であることが好ましく、０．５〜８％であることがより好ましく、１〜６％であることがさらに好ましく、２〜５％であることが最も好ましい。分相したガラスにおけるＬａ２Ｏ３の含有量は、０〜２％であることが好ましく、０．２〜１％であることがより好ましい。
【００４１】
分相したガラスは、Ｋ２Ｏを含有してもよい。Ｋ２Ｏは溶融性を向上させる成分であるとともに、化学強化におけるイオン交換速度を大きくして所望の表面圧縮応力と応力層深さを得るようにするための成分である。溶融性を向上するためには、１％未満ではその効果が小さい。好ましくは１％以上である。また、イオン交換速度を向上させるためには、好ましくは２％以上、典型的には３％以上である。Ｋ２Ｏが９％超では耐候性が低下する。好ましくは７％以下、典型的には６％以下である。
【００４２】
（ガラス組成態様２）
以下のガラス組成は、おもにスピノーダルを例示するために作製したガラス組成（ガラス組成態様２）であるが、スピノーダルを示す組成はこれに限らないことはいうまでもない。また、ガラス組成態様２の組成範囲内においても、組成や熱処理温度等によっては、バイノーダルとなりえることはいうまでもない。本発明は、バイノーダルおよびスピノーダルの両分相形態を含む。
【００４３】
分相したガラスは、Ｎａ２ＯもしくはＬｉ２Ｏまたは両方を含有していることが好ましい。分相したガラスがＮａ２ＯもしくはＬｉ２Ｏまたは両方を含有していることにより、その後のイオン交換処理によるガラスの強度を高めることができる。
【００４４】
ガラスにおけるＮａ２Ｏの含有量は、４％以上が好ましい。４％以上とすることにより、イオン交換処理により所望の表面圧縮応力層を形成しやすくなる。好ましくは６％以上、より好ましくは８％以上、より好ましくは１０％以上である。Ｎａ２Ｏが２０％超では耐候性が低下する。好ましくは２０％以下、より好ましくは１８％以下、より好ましくは１６％以下、より好ましくは１４％以下である。
【００４５】
Ｎａ２ＯとＬｉ２Ｏの両方を含有する場合、Ｌｉ２Ｏ含有量は、２％以下が好ましい。２％以下とすることにより、ガラス転移点が低下するのを防ぎ、イオン交換の溶融塩の温度が相対的に高くなるのを抑制して表面圧縮応力が入らなくなるのを抑制することができる。好ましくは１％以下、より好ましくは実質的に不含である。
【００４６】
分相したガラスは、ＳｉＯ２およびＣａＯを含有することが好ましい。分相したガラスが、ＳｉＯ２およびＣａＯを含有することにより、耐久性、強度が向上する。ＳｉＯ２の含有量は、７４〜９４％であることが好ましく、７８〜９０％であることがより好ましく、８０〜８８％であることがより好ましく、８２〜８６％であることがさらに好ましい。ＣａＯの含有量は、０〜１０％であることが好ましく、１〜８％であることがより好ましく、２〜７％であることがより好ましく、３〜６％であることがさらに好ましい。
【００４７】
分相したガラスにおけるＭｇＯの含有量は、０〜４％であることが好ましい。ＭｇＯはＣａＯとほぼ同等の作用を有する。ＭｇＯの含有量は、０〜２％であることがより好ましく、０〜１％であることがより好ましく、実質的に含有しないことがさらに好ましい。
【００４８】
分相したガラスにおけるＭｇＯとＣａＯの合量は、１〜１０％であることが好ましく、２〜８％であることがより好ましく、２〜７％であることがより好ましく、３〜６％であることがさらに好ましい。
【００４９】
分相したガラスは、Ｋ２Ｏを含有してもよい。Ｋ２Ｏは溶融性を向上させる成分であるとともに、化学強化におけるイオン交換速度を大きくして所望の表面圧縮応力と応力層深さを得ることができる。ＭｇＯの含有量は、０〜２％であることがより好ましく、０〜１％であることがより好ましく、実質的に含有しないことがさらに好ましい。
【００５０】
分相したガラスは、Ａｌ２Ｏ３を含有してもよい。Ａｌ２Ｏ３はガラスを安定化させる成分であるとともに耐候性を高めることができる。Ａｌ２Ｏ３の含有量は、０〜２％であることがより好ましく、０〜１％であることがより好ましく、実質的に含有しないことがさらに好ましい。
【００５１】
分相したガラスは、Ｂ２Ｏ３を含有してもよい。Ｂ２Ｏ３はガラスを安定化させる成分であるとともに耐失透特性を高めることができる。Ｂ２Ｏ３の含有量は、０〜２％であることがより好ましく、０〜１％であることがより好ましく、実質的に含有しないことがさらに好ましい。
【００５２】
以下の段落におけるすべての記述は、ガラス組成態様１および２について共通する記述である。
ガラスの溶融の際の清澄剤として、ＳＯ３、塩化物またはフッ化物、ＳｎＯ２、ＣｅＯ２、Ｓｂ２Ｏ３、Ａｓ２Ｏ３などを適宜含有してもよい。清澄剤の添加量は前記ガラス主成分の合計量を１００モル%として、これに相当するモル百分率（外割り）にて表示する。ＳＯ３の典型的な添加量は、モル百分率表示にて、０．０１〜１．５％、好ましくは０．０５〜１％、０．１〜０．８％がより好ましい。ＳＯ３の典型的な残存量は、０．０１〜０．５％である。
【００５３】
Ｃｌの典型的な添加量は、０．０１〜２％、好ましくは０．０５〜１．６％、０．１〜１．４％がより好ましい。Ｃｌの典型的な残存量は、０．０１〜１．０％である。Ｆの典型的な添加量は、０．０１〜３％、好ましくは０．０５〜２．４％、０．１〜２．１％がより好ましい。Ｆの典型的な残存量は、０．０１〜１．５％である。
【００５４】
ＳｎＯ２の典型的な添加量または残存量は０．０１〜１％、好ましくは０．０５〜０．８％、０．１〜０．７％がより好ましい。ＣｅＯ２の典型的な添加量または残存量は、０．０１〜１％、好ましくは０．０５〜０．８％、０．１〜０．７％がより好ましい。Ｓｂ２Ｏ３の典型的な添加量または残存量は、０．０１〜１％、好ましくは０．０５〜０．８％、０．１〜０．７％がより好ましい。
【００５５】
Ａｓ２Ｏ３の典型的な添加量または残存量は、０．０１〜３％、好ましくは０．０５〜２％、０．１〜１％がより好ましい。Ｓｂ２Ｏ３の典型的な添加量または残存量は、０．０１〜３％、好ましくは０．０５〜２％、０．１〜１％がより好ましい。環境への悪影響を考慮するとＡｓ２Ｏ３は使用しないほうが好ましい。Ｓｂ２Ｏ３もあわせて使用しないとなお好ましい。
【００５６】
分相したガラスの状態としては、バイノーダル状態およびスピノーダル状態が挙げられる。バイノーダル状態とは、核生成―成長機構による分相であり、一般的には球状である。バイノーダル状態とは、具体的には、一方の分離相が独立した球状の形で他方の分離相のマトリクス中に分散した形態をとっている状態である。また、スピノーダル状態とは、分相が、ある程度規則性を持った、３次元で相互かつ連続的に絡み合った状態である。
【００５７】
分相したガラスをイオン交換処理して表面圧縮応力を有する化学強化層における表面圧縮応力を高くするためには、イオン交換処理に供する分相したガラスがバイノーダル状態であることが好ましい。特に、アルカリリッチのマトリックス中に、シリカリッチのその他成分の分散相が存在していることが好ましい。
【００５８】
また、シリカリッチのマトリックス中に、その他の成分の分散相が存在していてもよい。ただし、スピノーダル状態のものを積極的に排除するものではない。また、本発明ではスピノーダル状態のガラス組成としてＳｉＯ２−ＲＯ−Ｒ’２Ｏ系ガラス（Ｒ＝ＭｇＯ、ＣａＯ、ＳｒＯ、ＢａＯ、Ｒ’＝Ｎａ、Ｋ、Ｌｉ）を示したが、ＳｉＯ２−Ｂ２Ｏ３−Ｒ’２Ｏ系ガラス（Ｒ’＝Ｎａ、Ｋ、Ｌｉ）を積極的に排除するものではない。
【００５９】
分相したガラスは白色化していることが好ましい。分相したガラスの透過率は、波長４００ｎｍの光に対する１ｍｍ厚のガラスの透過率Ｔ４００は典型的には７０％以下であり、３０％以下であることが好ましく、２０％以下であることがより好ましく、１０％以下であることがさらに好ましく、５％以下であることがよりさらに好ましく、３％以下であることが特に好ましく、１％以下であることが最も好ましい。波長４００ｎｍの光に対する１ｍｍ厚のガラスの透過率Ｔ４００を３０％以下とすることにより、分相したガラスを十分に白色化することができる。
【００６０】
また、本発明の化学強化用分相ガラスは、波長４００ｎｍの光に対する１ｍｍ厚換算の全光反射率が１０％以上であることが好ましく、３０％以上であることがより好ましく、５０％以上であることがさらに好ましく、７０％以上であることが特に好ましい。全光反射率が１０％以上であることにより、分相したガラスを白色化することができる。
【００６１】
分相したガラスに遮光性を持たせるためには、１ｍｍ厚のガラスの波長８００ｎｍの光に対する透過率Ｔ８００、波長６００ｎｍの光に対する透過率Ｔ６００、波長４００ｎｍの光に対する透過率Ｔ４００のいずれもが３０％以下であることが好ましく、１０％以下であることがより好ましく、５％以下であることがさらに好ましく、１％以下であることが最も好ましい。分相したガラスの透過率は、通常の透過率測定（直線透過率測定）により測定することができる。なお、いわゆる透明ガラスの波長８００ｎｍ、波長６００ｎｍ、波長４００ｎｍの光に対する１ｍｍ厚換算の透過率Ｔ８００、Ｔ６００、Ｔ４００はいずれも典型的には８０％以上である。
【００６２】
分相したガラスを白色化するためには、分相状態における一相の平均サイズまたは分相したガラスにおける分散相の平均粒子径が４０〜３０００ｎｍであることが好ましく、５０〜２０００ｎｍであることがより好ましく、１００〜１０００ｎｍであることがさらに好ましい。典型的には２００ｎｍ以上または５００ｎｍ以下である。
【００６３】
分散相の平均粒子径はＳＥＭ観察をすることにより測定することができる。ここで、分相状態における一相の平均サイズとは、スピノーダル状態にあっては相互かつ連続的に絡み合った相の幅の平均であり、バイノーダル状態にあっては一方の相が球状の場合はその直径、一方の相が楕円球状の場合はその長径と短径の平均値である。また、分散相の平均粒子径とはバイノーダル状態の場合の前記平均サイズである。
【００６４】
また、分相したガラスを白色化するためには、分相したガラスにおける分散相の粒子とその周りのマトリックスにおける屈折率差が大きいことが好ましい。
【００６５】
さらに、分相したガラスにおける分散相の粒子の体積の割合が５％以上であることが好ましく、１０％以上であることがより好ましく、２０％以上であることがさらに好ましい。ここで、分散相の粒子の体積の割合は、ＳＥＭ観察写真からガラス表面に分布している分散粒子の割合を計算し、該分散粒子の割合から見積もる。
【００６６】
分相は結晶化を伴うことがある。結晶化は白色化に寄与する可能性がある。そのため、分相＋結晶相の複合相を特に排除はしない。ただし、強度低下やイオン交換温度の上昇、イオン交換性能（圧縮応力、応力層厚み）の低下を伴う程度に結晶化がされているものは好ましくない。好ましくは、結晶相の粒子の体積／（分散相の粒子の体積＋結晶粒子の体積）が５０％以下。好ましくは２０％以下。さらに好ましくは１０％以下。さらに好ましくは１％以下。さらに好ましくは０％が好ましい。
【００６７】
（２）イオン交換処理
本発明の製造方法においては、分相したガラスをイオン交換処理して化学強化し、高い強度を備えるようにする。化学強化とは、ガラス表面に圧縮応力層を形成し、ガラスの強度を高める方法である。具体的には、ガラス転移点以下の温度でイオン交換によりガラス板表面のイオン半径が小さなアルカリ金属イオン（典型的には、Ｌｉイオン、Ｎａイオン）をイオン半径のより大きいアルカリイオン（典型的には、Ｌｉイオンに対してはＮａイオンまたはＫイオンであり、Ｎａイオンに対してはＫイオン）に交換する処理である。
【００６８】
化学強化の方法としてはガラス表層のＬｉ２ＯまたはＮａ２Ｏと溶融塩中のＮａ２ＯまたはＫ２Ｏとをイオン交換できるものであれば特に限定されないが、例えば加熱された硝酸カリウム（ＫＮＯ３）溶融塩にガラスを浸漬する方法が挙げられる。
【００６９】
ガラスに所望の表面圧縮応力を有する化学強化層（表面圧縮応力層）を形成するための条件はガラスの厚さによっても異なるが、温度条件は、３５０〜５５０℃であることが好ましく、４００〜５００℃であることがより好ましい。また、化学強化する時間は、１〜１４４時間であることが好ましく、２〜２４時間であることがより好ましい。溶融塩としては、例えば、ＫＮＯ３およびＮａＮＯ３が挙げられる。具体的には、例えば、４００〜５５０℃のＫＮＯ３溶融塩に２〜２４時間ガラスを浸漬させることが典型的である。
【００７０】
（３）圧縮応力層
本発明の製造方法により得られる化学強化ガラス（以下、本発明の化学強化ガラスともいう。）並びに本発明のイオン交換処理された分相ガラスおよび本発明の表面に圧縮応力層を有する分相ガラス（以下、本発明の分相ガラスともいう）は、イオン交換処理によって表面に圧縮応力層を備える。表面圧縮応力は３００ＭＰａ以上であることが好ましく、４００ＭＰａ以上であることがより好ましい。表面圧縮応力は光透過性があるものであれば、複屈折を利用して測定することができる。筐体用途に用いられるガラスの製造においては、ガラスが平板状である場合、研磨工程が行われることがある。
【００７１】
ガラスの研磨工程においては、その最終段階の研磨に使用される研磨砥粒の粒径は２〜６μｍが典型的であり、このような砥粒によって、ガラス表面には最終的に最大５μｍのマイクロクラックが形成されると考えられる。
【００７２】
化学強化による強度向上の効果を有効なものとするためには、ガラス表面に形成されるマイクロクラックより深い表面圧縮応力層があることが好ましく、化学強化によって生じる表面圧縮応力層の深さは６μｍ以上が好ましい。また、使用時に表面圧縮応力層の深さを超える傷がつくとガラスの破壊につながるため、表面圧縮応力層は深い方が好ましく、１０μｍ以上が好ましく、１５μｍ以上であることがより好ましく、２０μｍ以上であることがさらに好ましく、典型的には３０μｍ以上である。
【００７３】
一方、表面圧縮応力層が深くなりすぎると内部引張応力が大きくなり、破壊時の衝撃が大きくなる。すなわち、内部引張応力が大きいとガラスが破壊する際に細片となって粉々に飛散する傾向があることがわかっている。本発明者らによる実験の結果、厚さ２ｍｍ以下のガラスでは、表面圧縮応力層の深さが７０μｍを超えると、破壊時の飛散が顕著となることが判明した。
【００７４】
したがって、本発明の化学強化ガラスは、表面圧縮応力層の深さは７０μｍ以下が好ましい。本発明の化学強化ガラスを筐体として用いる場合、外装する電子機器にもよるが、例えば表面に接触傷がつく確率が高いパネル等の用途では、安全をみて表面圧縮応力層の深さを薄くしておくことも考えられ、より好ましくは６０μｍ以下、さらに好ましくは５０μｍ以下、典型的には４０μｍ以下である。
【００７５】
例えば、イオン交換処理においてガラス表層のナトリウム成分と溶融塩中のカリウム成分とをイオン交換する場合、ＥＰＭＡ（ｅｌｅｃｔｒｏｎ  ｐｒｏｂｅ  ｍｉｃｒｏ  ａｎａｌｙｚｅｒ、電子線マイクロアナライザー）にてガラスの深さ方向の深さ方向のアルカリイオン濃度分析、この例の場合はカリウムイオン濃度分析を行い、測定により得られたカリウムイオン拡散深さを表面圧縮応力層の深さとみなす。
【００７６】
また、イオン交換処理においてガラス表層のリチウム成分と溶融塩中のナトリウム成分とをイオン交換する場合、ＥＰＭＡにてガラスの深さ方向のナトリウムイオン濃度分析を行い、測定により得られたナトリウムイオン拡散深さを表面圧縮応力層の深さとみなす。
【００７７】
本発明の化学強化ガラスの引張応力は５０ＭＰａ以下であることが好ましく、より好ましくは４５ＭＰａ以下、さらに好ましくは４０ＭＰａ以下、最も好ましくは３０ＭＰａ以下である。なお、引張応力は式（表面圧縮応力値×表面圧縮応力層深さ）／（化学強化ガラスの厚み−２×圧縮応力層深さ）で計算される。
【００７８】
なお、本発明の化学強化ガラスの表面圧縮応力層の深さおよび表面圧縮応力値は、ＥＰＭＡまたは表面応力計（例えば、折原製作所製ＦＳＭ−６０００）等を用いて測定することができる。表面応力計は表層１００μｍ程度以内を伝搬する光の干渉により応力を測定する。従って、白色であっても、光の透過性があれば測定可能である。
【００７９】
（４）３点曲げ強度
本発明の一態様は、３点曲げ強度試験において、ビッカース圧子挿入加重０ｋｇにおける３点曲げ強度からビッカース圧子挿入加重２ｋｇにおける３点曲げ強度を減じた値を、ビッカース圧子挿入加重０ｋｇにおける３点曲げ強度で除した値が７０％以下である分相ガラス（以下、本発明の分相ガラスともいう）である。ビッカース圧子を挿入する３点曲げ強度試験による圧子挿入加重０〜２ｋｇにおける３点曲げ強度の減少率は、７０％以下であり、好ましくは６０％以下、より好ましくは５０％以下である。ビッカース圧子を挿入する３点曲げ強度試験による圧子挿入加重０〜２ｋｇにおける３点曲げ強度の減少率が７０％以下であることにより、傷に対する高い耐性が得られる。
【００８０】
３点曲げ強度試験は、支持台スパン３０ｍｍ、クロスヘッド速度０．５ｍｍ／分の条件で次のように行う。厚みが１ｍｍ、大きさが５ｍｍ×４０ｍｍで両面を酸化セリウムで鏡面研磨したガラス板を化学強化した後、各ガラス板の中心に温度２０〜２８℃、湿度４０〜６０％の条件で、ビッカース硬度計を用いて１ｋｇｆ＝９．８Ｎから、５ｋｇｆ＝４９Ｎの力でビッカース圧子を打ち込み、圧痕を形成し、曲げ強度（単位：ＭＰａ）を測定する。
【００８１】
また、本発明の別の一態様は、ビッカース圧子を２ｋｇｆで挿入した時に割れない分相ガラス（以下、本発明の分相ガラスともいう）である。ビッカース圧子を２ｋｇｆ（１９．６Ｎ）で挿入した時に割れないことで、傷に対する耐性を高めることができる。好ましくは、５ｋｇｆ（４９Ｎ）で挿入した時に割れない分相ガラスである。
【００８２】
（５）サンドペーパー落球試験
ユーザーが携帯して使用する機器を誤って落下させた場合などカバーガラスまたは筺体に衝撃を与えた際に、化学強化したカバーガラスや筺体であっても、圧縮応力層を突き抜ける傷を起点にガラスが比較的遅い速度で割れるスロークラックが生じることがある（以下、このようなガラスの割れ方をスロークラック割れと呼ぶ。）。なお、このスロークラック割れは、一般的に割れ破片が少なく、最も典型的には破壊起点から一本のクラックが延びてカバーガラスが２つに割れる現象である。
【００８３】
スロークラック割れであるか否かは、よりミクロには次のようにして判別される。まず、破壊起点がわかるようなものでなければスロークラック割れとはいえない。また、その破壊起点付近を観察して圧縮応力層を突き抜けるような傷すなわち圧縮応力層深さ（いわゆるＤＯＬ）よりも深い傷が破壊起点であることが確認された場合はスロークラック割れである。また、鏡面半径が長く、破面断面が鏡面でありミストやハックルが認められない場合はスロークラック割れである。
【００８４】
次に、スロークラック割れとの対比のため、スロークラック割れではないカバーガラスの割れ方（以下、非スロークラック割れとも呼ぶ。）について説明する。非スロークラック割れとして、ヌープ圧子をガラス表面に押し込んで生じたカバーガラスの割れについて説明する。図６は、非スロークラック割れによるカバーガラスの破壊起点を側方から見た写真を示す図であり、図７は図６の破断面を模式的に示す図である。
【００８５】
この非スロークラック割れの破断面を観察すると、圧縮応力層内に破壊起点が形成され、回りに鏡のように滑らかな鏡面半径の短い鏡面が見られ、さらに鏡面の回りには、ミスト面（ｍｉｓｔ）が存在する。この非スロークラック割れの破断面解析によれば、鏡面半径の短い鏡面は大きな応力により破壊が進行したことを意味し、ミスト面は、クラックが急速に成長したことを意味している。
【００８６】
従って、図６の破断面によれば、カバーガラスには、圧縮応力層の深さより浅い破壊起点が形成された後、大きな応力で破壊が進行しクラックが急速に成長したことが分かる。非スロークラック割れが生じると、カバーガラスは図８に示すように、蜘蛛の巣状に延びた複数のクラックにより複数（２０枚以上）のガラス片となる（以下、このような割れ方をスパイダー割れとも呼ぶ。）。このように、スロークラック割れと非スロークラック割れとは、全く異なるモードで破壊が生じていることが分かる。
【００８７】
非スロークラック割れについては、破壊起点が圧縮応力層内に発生するため、これを防ぐためには表面圧縮応力を大きくすることや圧縮応力層を深くすることが効果的である。
【００８８】
しかし、スロークラック割れについては、破壊起点が圧縮応力層を超えた領域、即ち引張応力層に発生するため（傷の深さは典型的には数十〜数百マイクロメートルで、化学強化による圧縮応力層が数〜数十マイクロメートル）、スロークラック割れの発生しやすいタッチセンサ機能付タブレットＰＣ用カバーガラスまたは筺体用ガラスにおいては、スロークラック割れにも強い機械特性を有するカバーガラスまたは筺体用ガラスを選択する必要がある。
【００８９】
そこで、本発明者らは、このスロークラック割れを再現するための方法として、以下に説明するサンドペーパー落球試験を採用した。そして、そのサンドペーパー落球試験から、閾値を求め、閾値以上の筺体用ガラスをタッチセンサ機能付タブレットＰＣ用筺体用ガラスとすることで、薄型化しつつもスロークラック割れに強いタッチセンサ機能付タブレットＰＣ用筺体用ガラスを提供することを可能とした。
【００９０】
サンドペーパー落球試験は、図９に示すように、表面に圧縮応力層が形成された化学強化ガラス１０を基台１１上に配置し、圧縮応力層の深さ以上の大きさの研磨材を含むサンドペーパー１２の擦り面１２ａに化学強化ガラス１０を接触させ、鉄球等の球体１３を上方から落下させるものである。
【００９１】
このとき、サンドペーパー１２は、好ましくは化学強化ガラス１０の上方に配置され、化学強化ガラス１０の上面１０ａがサンドペーパー１２の擦り面１２ａと接触しており、球体１３がサンドペーパー１２の擦り面１２ａとは反対側の面１２ｂに落下する。
【００９２】
基台１１としては、花崗岩のような硬い石から形成されることが好ましい。これにより、破壊起点となる傷が発生しやすいフレームに支持された筺体用ガラスの領域と同じように、応力の逃げ場を排除することができる。ただし、基台１１の材質は弾性率やたわみを目的にあわせて変更することができ、ストレート材、ガラス、中央がくりぬかれたフレーム等、適宜選択することができる。
【００９３】
本発明におけるサンドペーパーは研磨紙（紙やすり、ＪＩＳ  Ｒ６２５２：２００６）に限られず基材に研磨材が接着剤によって塗装されたもの、あるいはそれに相当するものを含み、たとえば研磨布（ＪＩＳ  Ｒ６２５１：２００６）、耐水研磨紙（ＪＩＳ  Ｒ６２５３：２００６）などを含む。
【００９４】
サンドペーパー１２には、含まれる研磨材の粒度に応じてＰ１２〜Ｐ２５００番が存在する（ＪＩＳ  Ｒ６２５２：２００６）。研磨材は、典型的には、アルミナ、炭化ケイ素である。アスファルト・コンクリートに含まれる砂の粒径を０．０６ｍｍ〜１ｍｍと想定すると、サンドペーパー１２に含まれる研磨材の粒度としてＰ３０〜Ｐ６００が概ねこれと対応する。
【００９５】
例えば圧縮応力層の深さを３０μｍと想定すると、圧縮応力層の深さよりも大きい研磨材を含むサンドペーパーとしては、Ｐ３０（Ｄ３：７１０μｍ）、Ｐ１００（Ｄ３：１８０μｍ）、Ｐ３２０（ｄ３：６６．８μｍ）、Ｐ６００（ｄ３：４３．０μｍ）などのサンドペーパーが選択される。
【００９６】
球体１３の材質や重量は目的にあわせて変更可能であるが、典型的には、ステンレス鋼製の４〜１５０ｇのステンレス球が用いられる。
【００９７】
このように基台１１上に配置された化学強化ガラス１０に、球体１３を落下させることで、化学強化ガラス１０にはサンドペーパー１２に含まれる研磨材により、上面１０ａ側の圧縮応力層より深いところに破壊起点Ｏが発生する。
【００９８】
このとき、破壊起点Ｏに圧縮応力が作用しその周りに引張応力が作用する［図１０（ａ）］。続いて、破壊起点Ｏには引張応力が作用しクラックＣが伸びて、カバーガラスが割れる［図１０（ｂ）］。
【００９９】
図１１（ａ）はＰ３０のサンドペーパーの拡大写真であり、図１１（ｂ）は、アスファルト・コンクリート（横浜にて採取）の拡大写真であり、図１１（ｃ）は、Ｐ３０のサンドペーパー先端の角度分布と砂の先端の角度分布を示すグラフである。
【０１００】
図１１（ｃ）は、それぞれサンドペーパーを１４４箇所、砂を１４９箇所観測し、サンドペーパー又は砂の先端角度を横軸に、頻度を縦軸に示したものである。本発明では、Ｐ３０のサンドペーパーに含まれる研磨材としてのアルミナと、アスファルト・コンクリートに含まれる小石等の形状の近似性から、Ｐ３０のサンドペーパーが選択された。
【０１０１】
本発明の一態様は、分相ガラスを花崗岩からなる基台上に配置し、Ｐ３０（ＪＩＳ  Ｒ６２５２：２００６）のサンドペーパーの擦り面に前記分相ガラスの上面を接触させた状態で、Φ０．７５インチ、２９ｇのステンレス鋼からなる球体を上方から落下させるサンドペーパー落球試験において、破壊時の平均落球高さが８ｃｍ以上である分相ガラス（以下、本発明の分相ガラスともいう）である。該平均落球高さは８ｃｍ以上であり、１０ｃｍ以上であることが好ましい。サンドペーパー落球試験において、破壊時の平均落球高さが８ｃｍ以上であることにより、上からの衝撃に対して高い耐性が得られる。
【０１０２】
本発明の分相ガラスおよび化学強化ガラスよりも熱膨張係数が小さいガラスを表面に薄く被覆することで熱膨張差による表面圧縮応力を入れることも可能である。クリアガラスを用いれば、被覆したガラスの表面と裏面の反射により美観が向上する効果も得られる。
【０１０３】
本発明の分相ガラスおよび化学強化ガラスは、例えば、電子機器に外装されるものである。携帯電話の外表面は、一方の外表面に液晶パネルまたは有機ＥＬディスプレイからなる表示装置及びボタンからなる操作装置、またはタッチパネルのような表示装置と操作装置が一体となったものが配置され、その周囲を額縁材が囲う構成である。他方の外表面は、パネルで構成される。そして、一方の外表面と他方の外表面との間である機器の厚み部分に枠材がある。これら額縁材と枠材、またはパネルと枠材は一体に構成される場合もある。
【０１０４】
本発明の分相ガラスおよび化学強化ガラスは、前述の額縁材、パネルおよび枠材のいずれにも用いることが可能である。また、これらの形状は、平板状であってもよいし、曲面であってもよく、額縁材と枠材、もしくはパネルと枠材との一体構造となった凹状、または凸状であってもよい。
【０１０５】
電子機器の内部に設けられる表示装置の光源は、発光ダイオード、有機ＥＬまたはＣＣＦＬ等の白色光を発するもので構成される。また、有機ＥＬディスプレイのように前記光源を用いず、白色光等を出す発光素子を備えるものもある。これら白色光が分相ガラスを介して機器の外部に漏れると見栄えが悪くなる。そのため、分相ガラスは、白色光を確実に遮光する特性を備えることが好ましい。
【０１０６】
本発明の分相ガラスおよび化学強化ガラスを筐体に用いる理由は以下のとおりである。本発明の分相ガラスおよび化学強化ガラスは、ガラスを分相させて、イオン交換処理することにより化学強化された分相ガラスであり、機械的強度および硬度が高く、耐熱性、電気的特性および化学的耐久性に優れた特性を有する。
【０１０７】
本発明の分相ガラスおよび化学強化ガラスは、ガラス中の分散相の粒子が光を拡散反射、散乱することで外観が白色を呈する。本発明の分相ガラスおよび化学強化ガラスは、ガラスを透過する白色光を、ガラスの光の散乱を利用して、不透明にする。また、ガラスの表面側において認識し難くするものである。
【０１０８】
また、上記本発明の分相ガラスおよび化学強化ガラスの光学特性は、通常の透過率測定（直線透過率測定）により評価することができる。本発明の分相ガラスおよび化学強化ガラスの透過率は、１ｍｍ厚のガラスの波長８００ｎｍの光に対する透過率Ｔ８００、波長６００ｎｍの光に対する透過率Ｔ６００、波長４００ｎｍの光に対する透過率Ｔ４００のいずれもが３０％以下であることが好ましく、１０％以下であることがより好ましく、５％以下であることがさらに好ましく、１％以下であることが最も好ましい。
【０１０９】
本発明の分相ガラスおよび化学強化ガラスに、着色成分として、Ｃｏ、Ｍｎ、Ｆｅ、Ｎｉ、Ｃｕ、Ｃｒ、Ｖ、Ｂｉ、Ｅｒ、Ｔｍ、Ｎｄ、Ｓｍ、Ｓｎ、Ｃｅ、Ｐｒ、Ｅｕ、ＡｇまたはＡｕを添加してもよい。添加する場合は、酸化物基準のモル％表示で５％以下である。Ｆｅは原料中への不純物として０．５％以下の含有は無着色ガラスとして含有してもよい。
【０１１０】
また、本発明の分相ガラスおよび化学強化ガラスは、機械的強度等に優れているという特徴がある。そのため、筐体に対して高い強度が求められる、携帯電話等の携帯可能な電子機器の筐体に好ましく用いることができる。
【０１１１】
本発明の分相ガラスおよび化学強化ガラスは、平板状だけでなく、凹状または凸状に成形されてもよい。この場合、平板またはブロック等に成形したガラスを再加熱し溶融した状態でプレス成形してもよい。また、溶融ガラスを直接プレス型上に流出しプレス成形する、いわゆるダイレクトプレス法にて所望の形状に成形してもよい。また、電子機器の表示装置またはコネクタに対応する箇所をプレス成形と同時に加工したり、プレス成形後に切削加工等したりしてもよい。
【０１１２】
本発明の分相ガラスおよび化学強化ガラスは、携帯型電子機器に好適に用いることができる。携帯型電子機器とは、携帯して使用可能な通信機器または情報機器を包含する概念である。
【０１１３】
通信機器としては、例えば、通信端末として、携帯電話、ＰＨＳ（Ｐｅｒｓｏｎａｌ  Ｈａｎｄｙ−ｐｈｏｎｅ  Ｓｙｓｔｅｍ）、スマートフォン、ＰＤＡ（Ｐｅｒｓｏｎａｌ  Ｄａｔａ  Ａｓｓｉｓｔａｎｃｅ）およびＰＮＤ（Ｐｏｒｔａｂｌｅ  Ｎａｖｉｇａｔｉｏｎ  Ｄｅｖｉｃｅ、携帯型カーナビゲーションシステム）があり、放送受信機として携帯ラジオ、携帯テレビおよびワンセグ受信機等が挙げられる。
【０１１４】
また、情報機器としては、例えば、デジタルカメラ、ビデオカメラ、携帯音楽プレーヤー、サウンドレコーダー、ポータブルＤＶＤプレーヤー、携帯ゲーム機、ノートパソコン、タブレットＰＣ、電子辞書、電子手帳、電子書籍リーダー、携帯プリンターおよび携帯スキャナ等が挙げられる。なお、これらに例示に限定されるものではない。
【０１１５】
これら携帯型電子機器に本発明の分相ガラスおよび化学強化ガラスを用いることで、高い強度と美観を備えた携帯型電子機器を得ることができる。
【０１１６】
なお、高い強度と美観を備えた本発明の分相ガラスおよび化学強化ガラスは、デスクトップパソコン、大型テレビ、建材、家具または家電製品などにも適用可能である。
【実施例】
【０１１７】
（１）透過率（％）
ガラスの透過率は、上下面が鏡面加工された１ｍｍ厚のガラスを用いて波長４００〜８００ｎｍの分光透過率を取得した。なお、分光透過率の測定は波長４００〜１２００ｎｍについて行った。【０１１８】
（２）３点曲げ強度（ＭＰａ）
３点曲げ強度は、サンプル形状を４０×５×１ｍｍとし、室温において、クロスヘッド速度０．５ｍｍ／分、支持台スパン３０ｍｍの条件で測定した。両面を酸化セリウムで鏡面研磨したガラス板を化学強化した後、各ガラス板の中心に温度２０〜２８℃、湿度４０〜６０％の条件で、ビッカース硬度計を用いて所定の力でビッカース圧子を打ち込み、圧痕を形成し、曲げ強度（単位：ＭＰａ）を測定した。【０１１９】
（３）表面圧縮応力値（ＣＳ）、圧縮応力層深さ（ＤＯＬ）
表面圧縮応力値（ＣＳ）および圧縮応力層の深さ（ＤＯＬ）は、折原製作所社製表面応力計（ＦＳＭ−６０００）を用いて測定した。【０１２０】
（４）サンドペーパー落球試験
サンドペーパー落球試験は、厚さ：０．８ｍｍ、サイズ：５０ｍｍ×５０ｍｍに切断した化学強化ガラスを１５枚用意し、１５枚のガラスを順次花崗岩からなる基台上に配置し、Ｐ３０（ＪＩＳ  Ｒ６２５２：２００６）のサンドペーパーの擦り面にガラスの上面を接触させた状態で、Φ０．７５インチ、２９ｇのステンレス鋼からなる球体を上方から落下させ、破壊時の落球高さの単純平均を算出して平均破壊高さとした。図１６（ａ）にサンドペーパー落球試験方法の模式図を示す。【０１２１】
（５）エッジ強度試験
ガラス板のエッジ強度は、「ＪＩＳ  Ｒ  １６０１：２００８年ファインセラミックスの曲げ強さ試験方法」に準じた。図１７（ａ）にエッジ強度試験の試験方法の模式図を示す。【０１２２】
［実施例１］
（１）熱処理（分相処理）
表１に示す組成の原料を１６５０℃で溶解し、７３０℃で徐冷したサンプルに熱処理を施した。なお、表１に示す組成に、その質量の０．１〜０．４％に相当する質量の硫酸ナトリウムを添加した。９００℃で４時間熱処理した後、ガラスが分相したことをＳＥＭにより確認した。その結果を図１（ａ）および図１（ｂ）に示す。図１（ａ）が実施例１−１、図１（ｂ）が実施例１−２の結果である。【０１２３】
図１（ａ）および（ｂ）に示すように、実施例１−１および実施例１−２のいずれについても分相が起こり、乳白色のサンプルが得られた。実施例１−２は実施例１−１にＰ２Ｏ５を１ｍｏｌ％添加した組成であるが、融液を流し出した時点で分相し、さらに熱処理を施すことで、実施例１−１と比較して劇的に白みが増していた。【０１２４】
また、図１（ａ）および（ｂ）に示すように、実施例１−１および実施例１−２のいずれについてもバイノーダル状態であることが確認された。さらに、分散相の平均粒径は、実施例１−１については１００ｎｍ以下、実施例１−２については２５０ｎｍ以下であり、Ｐ２Ｏ５を１ｍｏｌ％添加することで、分散相の粒径が２倍以上増加し、図２に示すように透過率が減少することがわかった。【０１２５】
（２）イオン交換処理
次に、（１）において分相させた実施例１−１および実施例１−２のサンプルについて、４５０℃の１００％ＫＮＯ３溶融塩中にサンプルを９２時間浸漬してイオン交換処理することにより化学強化した。【０１２６】
実施例１−１について化学強化されたサンプル断面を、ＳＥＭ−ＥＤＸにより観察した結果を図３に示す。図３に示すように、ガラス表面から８μｍ付近までＫが拡散していることがわかった。【０１２７】
また、１ｍｍ厚のガラスを用いて表面応力計ＦＳＭ−６０００（折原製作所）にて、表面圧縮応力を測定した結果、表面圧縮応力は実施例１−１については４３７ＭＰａ、実施例１−２については４２８ＭＰａであった。【０１２８】
また、３点曲げ強度をインストロン８５６１（インストロン社）により測定した結果を図４および表１に示す。実際に、化学強化による表面圧縮応力の効果を確認するために、化学強化前後での３点曲げ強度を測定した。その結果を図４および表１に示す。図４において、実施例２−２は実施例１−１と同一のサンプルであり、実施例２−５は実施例１−２と同一のサンプルである。図４および表１に示すように、実施例１−１および実施例１−２のいずれについても、化学強化前と比較して化学強化後の強度が増加していることがわかった。【０１２９】
これらの結果から、ガラスを分相した後に、イオン交換処理することで、白色化されて低い透過率を有するとともに、化学強化されて強度の向上したガラスが得られることがわかった。なお、実施例１−１、実施例２−１の波長４００ｎｍにおける１ｍｍ厚換算の全光反射率は、それぞれ５６％、７４％であった。【０１３０】
【表１】
2013161791.tif 000003
【０１３１】
［実施例２］
（１）分相処理（熱処理）
表２〜４に示す組成の原料を１６５０℃で溶解し、表２〜４に示す徐冷温度で徐冷したサンプルを、表２〜４に示す条件で熱処理して分相させた。なお、ガラスを溶解、成形、徐冷の工程において分相したサンプルは「未処理」と記載してある。得られたサンプルの透過率を測定した結果を表２〜４、並びに図５に示す。また、ＳＥＭで分相状態を観察した結果を表２〜４に示す。【０１３２】
なお、実施例２−３、実施例２−６、実施例２−７については、分相させるための熱処理はしていないが、ガラスを溶融するための熱処理で白みを帯びて分相し、低い透過率が得られた実施例である。また、実施例２−２は実施例１−１と同一のサンプルであり、実施例２−５は実施例１−２と同一のサンプルである。【０１３３】
［比較例２］
表２の比較例２−１は、分相状態でないガラスの比較例である。【０１３４】
（２）イオン交換処理
次に、分相した実施例２−１〜２−２０の１ｍｍ厚のサンプルについて、１００％ＫＮＯ３溶融塩中にサンプルを表２〜４に示す条件でイオン交換処理して化学強化した後、表面圧縮応力値（ＣＳ）および圧縮応力層深さ（ＤＯＬ）を測定し、ＣＳ／ＤＯＬを算出した。その結果を表２〜４示す。【０１３５】
表２〜４に示すように、ガラスを分相した後に、イオン交換処理することで、白色化されて低い透過率を有するとともに、化学強化されて強度の向上したガラスが得られることがわかった。【０１３６】
【表２】
2013161791.tif 000004
【０１３７】
【表３】
2013161791.tif 000005
【０１３８】
【表４】
2013161791.tif 000006
【０１３９】
［実施例３］
以下に示すガラスを結晶化ガラス、分相ガラス（バイノーダル）、参考ガラスとして用いた。
（１）結晶化ガラス
組成がモル％表示で、ＳｉＯ２  ５０．４％、Ａｌ２Ｏ３  ２２．７％、ＴｉＯ２  ６．９％、Ｎａ２Ｏ  １２．５％、Ｋ２Ｏ  ７．５％であるガラスを８５０℃で４時間熱処理した後、１１００℃で４時間熱処理して結晶化させたガラスを結晶化ガラスとした。
結晶化ガラスは、ＫＮＯ３により４５０℃にて３０時間イオン交換処理することにより化学強化した。
（２）分相ガラス
組成がモル％表示で、ＳｉＯ２  ５９．７％、Ａｌ２Ｏ３  ３．３％、Ｂ２Ｏ３  ３．９％、ＭｇＯ  １４．９％、ＺｒＯ２  ４．１％、Ｎａ２Ｏ  ９．１％、Ｐ２Ｏ５  ５．０％であるガラスを９００℃で４時間熱処理して分相化させたガラスを分相ガラスとした。
分相ガラスは、ＫＮＯ３により４５０℃にて６時間イオン交換処理することにより化学強化した。
（３）参考ガラス
組成がモル％表示で、ＳｉＯ２  ６３．１％、Ａｌ２Ｏ３  ７．９％、Ｎａ２Ｏ  １２．３％、ＭｇＯ  １０．３％、Ｋ２Ｏ  ３．９％、ＺｒＯ２  ０．４％に着色剤を添加したガラスを参考ガラスとした。
参考ガラスは、ＫＮＯ３により４２５℃にて６時間イオン交換処理することにより化学強化した。【０１４０】
結晶化ガラス、分相ガラスおよび参考ガラスをイオン交換処理（ＩＯＸとも記載する。）し、表面圧縮応力値（ＣＳ）、圧縮応力層深さ（ＤＯＬ）を測定した結果、および、３点曲げ強度試験で破壊されたガラスの写真および模式図を図１３に示す。【０１４１】
図１３に示すように、結晶化ガラスは３０時間と長時間にわたりイオン交換処理したにもかかわらず圧縮応力層の深さが５μｍ未満であるのに対し、分相ガラスは６時間と短時間のイオン交換処理により圧縮応力層の深さが２１μｍと深く、傷に対する耐性が非常に高いことがわかった。参考ガラスと比較しても、分相ガラスは遜色の無い結果が得られた。【０１４２】
また、図１３の写真および模式図に示すように、３点曲げ強度試験で破壊された場合のガラスの割れ方についても、結晶化ガラスは粉々に割れているのに対し、分相ガラスは形をある程度残してわれており、イオン交換処理した分相ガラスは、イオン交換処理した結晶化ガラスに対して鋭利な割れ方であり、飛散しないため安全性が高いことがわかった。【０１４３】
［実施例４］圧子挿入による観察
実施例３と同様に調製した、それぞれイオン交換処理（ＩＯＸとも記載する。）した結晶化ガラス、分相ガラスおよび参考ガラスについて、ビッカースまたは対面角１１０°の正四角錐の形をした圧子を各荷重でガラスに挿入した。その結果を図１２に示す（ｎ＝１０）。図１２において、「破損」は傷を付けた瞬間にガラスが割れてしまったことを示す。【０１４４】
図１２に示すように、イオン交換処理した結晶化ガラスは圧縮応力層の深さが深くないため、傷を付けることにより割れやすくなっていることがわかった。これに対し、イオン交換処理した分相ガラスは、圧子の挿入により傷は入るが割れにくく、１１０°に関してはイオン交換処理した参考ガラスより傷に対する高い耐性を示した。【０１４５】
［実施例５］３点曲げ強度試験
実施例３と同様に調製した、それぞれイオン交換処理した結晶化ガラス、分相ガラスおよび参考ガラスについて、ビッカース圧子を挿入し、加傷３点曲げ強度試験を行った。その結果を図１４（ａ）〜（ｃ）に示す。【０１４６】
図１４（ａ）に示すように、イオン交換処理した結晶化ガラスは、圧子により傷を付けることによって３点曲げ強度が著しく低下し、圧子挿入加重０〜２ｋｇの３点曲げ強度の減少率は、１００％であった。これは、結晶化ガラスはイオン交換処理による圧縮応力層の深さが少ないためである。【０１４７】
これに対し、図１４（ｂ）に示すように、イオン交換処理した分相ガラスは傷を付けても３点曲げ強度は低下せず、図１４（ｃ）に示す参考ガラスと同様の強度を示し、傷に対する耐性が高いことがわかった。なお、圧子挿入加重０〜２ｋｇにおける３点曲げ強度の減少率は、分相ガラスは５２．８％、参考ガラスは５８．２％であった。【０１４８】
［実施例６］３点曲げ強度試験
実施例３と同様に調製した分相ガラスについて、イオン交換処理有りの場合と、イオン交換処理無しの場合とにおいて、ビッカース圧子で加傷し３点曲げ強度試験を行った。その結果を図１５（ａ）および（ｂ）に示す。【０１４９】
図１５（ａ）に示すように、イオン交換無しの場合［図１５（ｂ）］と比較して、イオン交換処理した分相ガラスは、傷に対する強度が顕著に向上することが分かった。【０１５０】
［実施例７］耐酸性試験、耐アルカリ性試験、耐水性試験
実施例３と同様に調製した、それぞれイオン交換処理（ＩＯＸとも記載する。）した結晶化ガラス、分相ガラスおよび参考ガラスについて、表５に示す条件により耐酸性試験、耐アルカリ性試験および耐水性試験を行った。塩酸の濃度は０．１規定（０．１Ｍ）、水酸化ナトリウムの濃度は０．１規定（０．１Ｍ）である。（なお、結晶化ガラスの耐酸性試験は、試験時間２時間である。）その結果を表６に示す。【０１５１】
【表５】
2013161791.tif 000007
【０１５２】
【表６】
2013161791.tif 000008
【０１５３】
表６に示すように、耐酸性について、分相ガラスは参考ガラスと同様にほとんど重量変化はなく耐酸性が高いのに対し、結晶化ガラスは耐酸性が低いことが分かった。なお、結晶化ガラスは耐酸性試験により、ガラス表面が剥離した。【０１５４】
また、耐アルカリ性については、分相ガラスは、結晶化ガラスと比較して耐アルカリ性が高いことが分かった。なお、参考ガラスは、耐アルカリ性試験により、表面が荒れて色ムラが生じた。【０１５５】
［実施例８］サンドペーパー落球試験
実施例３と同様に調製し、それぞれイオン交換処理（ＩＯＸとも記載する。）した結晶化ガラス、分相ガラスおよび参考ガラスについて、サンドペーパー落球試験を行った。その結果を図１６（ｂ）および図１６（ｃ）に示す。【０１５６】
図１６（ｂ）に示すように、イオン交換処理した結晶化ガラスは破壊時の平均落球高さが低く、図１６（ｃ）に示すように粉々に飛び散るように割れた。これに対し、図１６（ｂ）に示すように、イオン交換処理した分相ガラスは破壊時の平均落球高さが高く、図１６（ｃ）に示すように、イオン交換処理した参考ガラスと同様に粉々に割れることなかった。この結果から、イオン交換処理した分相ガラスは上からの衝撃に強く、イオン交換処理した結晶化ガラスに対して強度が高いことが分かった。【０１５７】
［実施例９］エッジ強度試験
実施例３と同様に調製し、それぞれイオン交換処理（ＩＯＸとも記載する。）無しまたはイオン交換処理有りの場合における結晶化ガラス、分相ガラスおよび参考ガラスについて、エッジ強度試験を行った。その結果を図１７（ｂ）および図１８に示す。【０１５８】
図１７（ｂ）に示すように、イオン交換処理無しの場合は結晶化ガラス、分相ガラスおよび参考ガラスのいずれの場合も平均強度は０．０７Ｊ以下であった。また、図１７（ｂ）に示すように、イオン交換処理有りの場合は、いずれの場合も０．１Ｊ以上であった。イオン交換処理なしの分相ガラスの場合は０．０４Ｊであったが、イオン交換処理した分相ガラスは０．１１Ｊに向上した。【０１５９】
一方、図１７（ｂ）に示すようにイオン交換した結晶化ガラスは、平均衝撃クラックエネルギーは０．４Ｊ程度であったが、図１８に示す写真および図は０．２Ｊでも、飛び散るように粉々に割れた。一方、図１８に示すように、分相ガラスは飛び散るように割れることがなく、エッジ衝撃に対しても高い耐性を示すことがわかった。【０１６０】
［実施例１０］
表７〜１３に示す組成の原料を１５５０℃〜１６５０℃で溶解した。なお、表７〜１３に示す組成にその質量の０．１〜０．４％に相当する重量の硫酸ナトリウムを添加した。表７〜１３には、分相ガラスの熱処理条件、透過率および表面圧縮応力（ＣＳ）と圧縮応力深さ（ＤＯＬ）を測定した結果も示す。表７において、例１０−１、例１０−３〜１０−７０は実施例、例１０−２は参考例である。【０１６１】
【表７】
2013161791.tif 000009
【０１６２】
【表８】
2013161791.tif 000010
【０１６３】
【表９】
2013161791.tif 000011
【０１６４】
【表１０】
2013161791.tif 000012
【０１６５】
【表１１】
2013161791.tif 000013
【０１６６】
【表１２】
2013161791.tif 000014
【０１６７】
【表１３】
2013161791.tif 000015
【０１６８】
表７〜１３に示すように、イオン交換処理した分相ガラスは、電子機器の筐体に好適な遮蔽性を備えるとともに、強度に優れていることがわかった。【０１６９】
［実施例１１］
表１４に示す組成の原料を１６５０℃で溶解した。なお、表１４に示す組成にその質量の０．４％に相当する重量の硫酸ナトリウムを添加した。例１１−１〜１１−３のいずれについてもスピノーダル状態の分相ガラスであることが確認された。【０１７０】
表１４に、分相ガラスのガラス転移温度（Ｔｇ）、分相熱処理条件、透過率、表面圧縮応力（ＣＳ）と圧縮応力深さ（ＤＯＬ）、３点曲げ強度試験において圧子挿入加重０ｋｇと２ｋｇでの破壊強度を示す。カッコ付きは推定値である。表１４において、例１１−１〜１１−３は実施例である。【０１７１】
また、図１２（分相ガラス  スピノーダル）に、ビッカースまたは対面角１１０°の正四角錐の形をした圧子を加重０．５〜１０ｋｇで挿入した例１１−２のガラスを観察した結果を示す。【０１７２】
【表１４】
2013161791.tif 000016
【０１７３】
表１４および図１２に示すように、スピノーダル状態の分相ガラスをイオン交換処理した化学強化ガラスは、バイノーダル状態の分相ガラスの場合と同様に、電子機器の筐体に好適な遮蔽性を備えるとともに、化学強化処理により十分な表面圧縮応力と圧縮応力層深さを付与することができ、電子機器の筐体として十分な強度を有していることがわかった。【０１７４】
本発明を特定の態様を用いて詳細に説明したが、本発明の意図と範囲を離れることなく様々な変更および変形が可能であることは、当業者にとって明らかである。なお本出願は、２０１２年４月２７日付で出願された日本特許出願（特願２０１２−１０４０５９）および２０１２年１１月２日付で出願された日本特許出願（特願２０１２−２４２５５５）に基づいており、その全体が引用により援用される。
【符号の説明】
【０１７５】
１０  化学強化ガラス
１０ａ  上面
１１  基台
１２  サンドペーパー
１２ａ  擦り面
１３  球体
Ｏ    破壊起点
Ｃ    クラック
【図１】
2013161791.tif 000017
【図２】
2013161791.tif 000018
【図３】
2013161791.tif 000019
【図４】
2013161791.tif 000020
【図５】
2013161791.tif 000021
【図６】
2013161791.tif 000022
【図７】
2013161791.tif 000023
【図８】
2013161791.tif 000024
【図９】
2013161791.tif 000025
【図１０】
2013161791.tif 000026
【図１１】
2013161791.tif 000027
【図１２】
2013161791.tif 000028
【図１３】
2013161791.tif 000029
【図１４】
2013161791.tif 000030
【図１５】
2013161791.tif 000031
【図１６】
2013161791.tif 000032
【図１７】
2013161791.tif 000033
【図１８】
2013161791.tif 000034
【国際調査報告】
2013161791.tif 000035
2013161791.tif 000036
2013161791.tif 000037
2013161791.tif 000038
2013161791.tif 000039
2013161791.tif 000040
2013161791.tif 000041